(57)【要約】【課題】従来の、この種のＧＰＳ装置は本体がかなり大きく、第三者が一見してそれがＧＰＳ装置であることが容易に分かる色形をしていた。また、電源は常時ＯＮ状態であり、同一電源・無充電での１ヶ月、６ヶ月、１年という長期間での連続利用ができず、さらに充電式バッテリー電源では使用する度に６時間程も充電する必要があり、手間がかかる上、基本的に水中での使用も出来なかった。さらに従来の携帯電話などからの無線を利用した位置検索装置では電波の届かない場所では効果が得られないし、検索可能エリアにおいても日本国内であり、全地球規模での広範囲な検索能力がありませんでした。【解決手段】電源に腕時計用リチウム電池を採用することで充電する手間を省き、装置本体をより小型化することができた。また第三者が一見しても分からないように、アクセサリーグッズに貼り付けたり、内臓したり、取り付けたりできる万能型にした。さらに電源の無駄な消耗を避け、長期間、無充電・無交換での使用を可能にするため、携帯端末やパソコンを用いて暗証番号などを入力、当社ホームページにインターネットを介してアクセスすることにより電源のＯＮ・ＯＦＦ切り替えを遠隔地から自動的に当該装置に電子メールを送ることによって行えるシステムにした。【選択図】図１
0003124315.tif 000002
【実用新案登録請求の範囲】
【請求項１】
形状は２種類あり、１つは小型軽量で２センチ×３センチ、薄さ５ミリ、長方形をしており、底面に両面テープが付いています。半透明なフレキシブルプラスチックでＧＰＳ回路本体が覆われていて撥水性があり、生活防水です。一見、外観からＧＰＳ装置とは分からないように他のアクセサリーに貼り付けたり、内臓したり、取り付けたりして使用します。また、この半透明なフレキシブルボディはハサミで好きな形にカットすることも出来ます。希望があればその大きさ、形、色などはオーダーメード可能です。もう１種類は直径１センチ、高さ３センチの円柱型のボディをしており、頭頂部にキーホルダーに取り付けられるように引っ掛け輪が付いています。チェーンを通せばネックレスとしても携帯可能です。
【請求項２】
この当該装置の最大の利点は超小型で常時携帯可能であり、また、待機電源の状態から携帯電話又はパソコンを使って暗証番号及び固有登録番号（電子メールアドレス）を送信することによって遠隔地より自動的に電源をＯＮ状態にしたり、ＯＦＦ状態にしたりすることができます。そして電源を入れることによって２４時間、３６５日携帯端末又はパソコンを用いて当該装置を所持している人間又はペット、あるいは自動車などの現在位置検索を行うことができます。
【請求項３】
この当該装置は所持者本人が電源の入切を直接操作することもできます。また、電源には小型リチウム電池を採用しています。
【請求項４】
当該装置は個々に固有の電子メールアドレスを回路に記憶しており、インターネットを通じてアクセスすることにより、装置の電源を入れ、当該装置の位置検索を行う仕組みになっています。従ってこの装置での位置検索は全地球規模で実施可能です。また、省電力設計により、電池の無交換・無充電で１年間は位置検索が可能です。
【考案の詳細な説明】
【技術分野】
【０００１】本考案は無料で提供されている米国の軍事衛星（ＧＰＳ衛星）を利用した、小型軽量化したＧＰＳ送受信装置であり、携帯端末やパソコンによって、このＧＰＳ装置を所持している人間又はペットの現在位置をリアルタイムで測定検索することを目的とした通信装置です。
【背景技術】
【０００２】従来、この種のＧＰＳ装置では、まず本体の大きさは携帯電話ほどの大きさがあり、かなり大きく、また、外観からも一見してそれがＧＰＳ装置であることが明らかに分かる色・形状をしていました。また、電源は充電式電池パックであり、装置を利用する時には予めバッテリー電池を６時間ほど充電した後に、電源をＯＮ状態のまま誘拐防止などのため対象者やペットに携帯させたり、盗難防止のために自動車の車内に設置したりして使用するものだったので連続使用時間は最大で３日間ほどと短く、常時、数ヶ月から数年に及ぶ無充電無交換による長期連続携帯が出来ませんでした。さらに、その通信可能範囲は広くても日本国内だけでした。
【考案が解決しようとする課題】
【０００３】  第３者が一見してそれがＧＰＳ装置であることが容易に分かる色・形状をしていました。
【０００４】  従来のこの種のＧＰＳ装置は本体が携帯電話ほどの大きさがあった。
【０００５】  従来のＧＰＳ装置の充電式バッテリー電源では使用しようとする度に６時間ほどの充電が必要で手間がかかり、かつ、連続使用時間が数日間と短かった。
【０００６】  遠隔操作でＧＰＳ装置の電源を入れたり、切ったりすることができないので同一電源無充電での６ヶ月、あるいは年単位の長期間に及ぶ現在位置測定検索ができませんでした。
【０００７】  従来の装置は携帯電話などの無線を利用した位置検索装置だったので電波の届かない場所や全地球規模での現在位置検索ができませんでした。
【課題を解決するための手段】
【０００８】腕時計にも用いられる小型リチウム電池を採用することで、充電する手間が省け、また、装置本体をより小型化することができました。
【０００９】電源の無駄な消費を避け、できる限り長い期間、無充電・無交換で現在位置検索を可能にするため携帯端末やパソコンを用いて暗証番号や固有登録番号を入力、当社ホームページ上に送信することでインターネットを通して電源を自動的にＯＮ状態にしたり、ＯＦＦ状態にしたりすることができるシステムにしました。
【００１０】第３者が一見してもそれがＧＰＳ装置であることが分からないように当該装置をアクセサリーグッズに隠して使用できるように薄型・コンパクトに設計してあり、また、もう１種類の円柱型タイプの当該装置はチェーンに通せばネックレスとして使用できますし、キーホルダーに取り付けて持ち歩くこともできます。。
【考案を実施するための最良の形態】
【００１１】図１、図２は原寸大で描いています。【００１２】料金形態は本体購入価格の他に毎月、定額基本料金がかかります。１商品当たり１つの基本料金が発生します。【００１３】当該装置はアクセサリーグッズに貼り付けたり、内臓したり、取り付けたりして使用し、電源には腕時計用リチウム電池を使用します。
【考案の効果】
【００１４】近年、増加している少年・少女の拉致・誘拐・監禁などの犯罪から子供や女性を守る防犯グッズとして使用します。また、子供やペットの迷子対策にも利用できます。さらに痴呆や徘徊癖のある老人の事故防止グッズとしても活用できます。
【００１５】マリンスポーツ全般を楽しむ時に万が一の海難事故に備えて。またスキーや登山などのウィンタースポーツを楽しむ時やスカイダイビングやパラグライダーなどを行う時においても万が一の遭難・行方不明防止のための必携救急アイテムとして活用します。
【００１６】家族や友人らとの国内及び海外旅行時の、万が一の事故や事件に巻き込まれた時の救急アイテムとして利用したり、バーベキューや川遊びなどのアウトドアスポーツやレジャーにも万が一の水難事故に備えての必携アイテムになります。
【００１７】日本国内において散弾銃所持許可資格取得者は５万人以上です。ところで近年、少年や外国人による凶悪犯罪が増加傾向にある中、散弾や散弾銃の盗難・強奪などの事件の発生が危惧されます。そこで事件防止や事件の早期解決を目的として当該装置を安全対策として銃本体に取り付けておきます。
【００１８】日本の警察官が所持している拳銃のグリップ部分内部に当該装置の機関部を直接仕込み、万が一の強奪や盗難事件発生時の対応策としても有効です。
【００１９】盗難の急増している自転車をはじめ、オートバイや自動車にも取り付け可能です。
【００２０】腕時計用小型リチウム電池による無充電・無交換での最大有効連続使用期間は１年６ヶ月以上と非常に長期的な利用ができます。
【００２１】図１は原寸大の当該装置の斜視図です。Ａの部分はフレキシブルな半透明のプラスチックで、Ｂに示すＧＰＳ回路を保護し、覆っています。Ｃ部には両面テープが付いていて、シールを剥すことにより、色々な物に取り付けることが出来ます。大きさは２センチ×３センチ薄さは５ミリほどです。形は基本的には長方形ですが、ハサミで形を自由に変えることができます。
【００２２】図２は原寸大の円柱型タイプの当該装置の斜視図です。Ｄの部分はステンレスで出来ており、この本体内部にＧＰＳ回路及び電子メールアドレス記憶回路、電池、アンテナなどが内臓されています。
【図面の簡単な説明】
【図１】図１は当該装置の斜視図です。２センチ×３センチの薄い基盤にＧＰＳアンテナ、ＩＣ，ＬＳＩなどの集積回路、電池が内蔵してあります。
【図２】図２は当該装置の円柱型タイプの斜視図です。直径１センチ、高さ３センチのステンレス製のボディの内部にＧＰＳ回路、電池、アンテナなどが内臓してあります。
【符号の説明】
Ａ：当該装置本体（半透明プラスチック）
Ｂ：ＧＰＳ回路
Ｃ：本体底部（両面テープ貼布）
Ｄ：円柱型ボディ
１：ＧＰＳアンテナ
２：電池
【図１】
0003124315.tif 000003
【図２】
0003124315.tif 000004
【手続補正書】
【提出日】平成17年4月1日(2005.4.1)
【手続補正１】
【補正対象書類名】実用新案登録請求の範囲
【補正の内容】
0003124315.tif 000005
0003124315.tif 000006
0003124315.tif 000007
0003124315.tif 000008
0003124315.tif 000009
0003124315.tif 000010
【手続補正書】
【提出日】平成17年9月12日(2005.9.12)
【手続補正１】
【補正対象書類名】実用新案登録請求の範囲
【補正対象項目名】全文
【補正方法】変更
【補正の内容】
【実用新案登録請求の範囲】
【請求項１】
本考案はＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器です。
【請求項２】
本考案はＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器の電源を小型ボタンリチウム電池にすることにより、本体のボディ構成をより小型・軽量・薄型にすることが可能になり、さらに１年以上の長期間における同一電源・無充電・無交換による現在位置検索が可能になったことを特徴とする超小型電源遠隔入切機能付ＧＰＳ位置検索測定器です。
【請求項３】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器は電力の消耗を極力少なくするため、現在位置検索を行う時点で当社ホームページ上の画面に本装置固有の登録番号及び契約者の暗証番号を入力・送信することによって初めて待機電源状態から現在位置検索を行う事が出来る本出力電源に自動的に切り替わるようにプログラムしてあることを特徴とする超小型電源遠隔入切機能付ＧＰＳ位置検索測定器です。
【請求項４】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器の形状としては二つのモデルがあり、一つはペンダントヘッド型、もう一つはボトルケース型でペンダントヘッド型については本体上部角部にアンテナを有し、薄い小型のフレキシブル基盤上にはＧＰＳ回路、電子メール送受信回路、及びインターネット接続通信回路、さらに小型ボタンリチウム電池を組み込み、また、基盤底部には両面テープが貼り付けてあり、さらに一見して第三者からそれがＧＰＳ現在位置測定装置であることが分からないように色や形状を変えてあり、ハサミ等で自由にフレキシブル基盤の端を切って形を変えることもできることを特徴とする超小型電源遠隔入切機能付ＧＰＳ位置検索測定器です。
【請求項５】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器は待機電源の状態から当社ホームページへ携帯電話又はパソコンを使って暗証番号及び固有登録番号（電子メールアドレス）をインターネットを通して送信することによって遠隔地より自動的に電源をＯＮ状態にしたり、ＯＦＦ状態にしたりすることができることを特徴とする超小型電源遠隔入切機能付ＧＰＳ位置検索測定器です。
【請求項６】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器の形状としては二つのモデルがあり、一つはペンダントヘッド型、もう一つはボトルケース型で、このボトルケース型については円柱型本体の上部面中央にアンテナを有し、また、２０気圧防水加工が施されており、ボディの材質は錆に強いステンレス製で、水の中でも現在位置検索を行うことができることを特徴とする超小型電源遠隔入切機能付ＧＰＳ位置検索測定器です。
【請求項７】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器は個々に固有の電子メールアドレスを回路に記憶しており、インターネットを通じてアクセスすることにより、装置の主電源が入れられ、位置検索を行う仕組みになっていることを特徴とする超小型電源遠隔入切機能付ＧＰＳ位置検索測定器です。
【請求項８】
本考案であるＧＰＳ回路と電子メール送受信回路及びインターネット接続通信回路を装備し、２４時間３６５日、当社ホームページ内において本装置固有の登録番号及び暗証番号を入力・送信することによって本装置内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の超小型電源遠隔入切機能付ＧＰＳ位置検索測定器は所持者本人が電源の入切を直接操作できることを特徴とする超小型電源遠隔入切機能付ＧＰＳ位置検索測定器です。
【手続補正２】
【補正対象書類名】明細書
【補正対象項目名】全文
【補正方法】変更
【補正の内容】
【考案の詳細な説明】
【技術分野】
【０００１】本考案は無料で提供されている米国の軍事衛星（ＧＰＳ衛星）を利用した、小型軽量化したＧＰＳ送受信装置であり、携帯端末やパソコンによって、このＧＰＳ装置を所持している人間又はペットの現在位置をリアルタイムで測定検索することを目的とした通信装置です。
【背景技術】
【０００２】従来、この種のＧＰＳ装置では、まず本体の大きさは携帯電話ほどの大きさがあり、かなり大きく、また、外観からも一見してそれがＧＰＳ装置であることが明らかに分かる色・形状をしていました。また、電源は充電式電池パックであり、装置を利用する時には予めバッテリー電池を６時間ほど充電した後に、電源をＯＮ状態のまま誘拐防止などのため対象者やペットに携帯させたり、盗難防止のために自動車の車内に設置したりして使用するものだったので連続使用時間は最大で３日間ほどと短く、常時、数ヶ月から数年に及ぶ無充電無交換による長期連続携帯が出来ませんでした。さらに、その通信可能範囲は広くても日本国内だけでした。
【考案が解決しようとする課題】
【０００３】第３者が一見してそれがＧＰＳ装置であることが容易に分かる色・形状をしていました。
【０００４】従来のこの種のＧＰＳ装置は本体が携帯電話ほどの大きさがあった。
【０００５】従来のＧＰＳ装置の充電式バッテリー電源では使用しようとする度に６時間ほどの充電が必要で手間がかかり、かつ、連続使用時間が数日間と短かった。
【０００６】遠隔操作でＧＰＳ装置の電源を入れたり、切ったりすることができないので同一電源無充電での６ヶ月、あるいは年単位の長期間に及ぶ現在位置測定検索ができませんでした。
【０００７】従来の装置は携帯電話などの無線を利用した位置検索装置だったので電波の届かない場所や全地球規模での現在位置検索ができませんでした。
【課題を解決するための手段】
【０００８】腕時計にも用いられる小型リチウム電池を採用することで、充電する手間が省け、また、装置本体をより小型化することができました。
【０００９】電源の無駄な消費を避け、できる限り長い期間、無充電・無交換で現在位置検索を可能にするため携帯端末やパソコンを用いて暗証番号や固有登録番号を入力、当社ホームページ上に送信することでインターネットを通して電源を自動的にＯＮ状態にしたり、ＯＦＦ状態にしたりすることができるシステムにしました。
【００１０】第３者が一見してもそれがＧＰＳ装置であることが分からないように当該装置をアクセサリーグッズに隠して使用できるように薄型・コンパクトに設計してあり、また、もう１種類の円柱型タイプの当該装置はチェーンに通せばネックレスとして使用できますし、キーホルダーに取り付けて持ち歩くこともできます。
【考案を実施するための最良の形態】
【００１１】図１、図２は原寸大で描いています。【００１２】料金形態は本体購入価格の他に毎月、定額基本料金がかかります。１商品当たり１つの基本料金が発生します。【００１３】当該装置はアクセサリーグッズに貼り付けたり、内臓したり、取り付けたりして使用し、電源には腕時計用リチウム電池を使用します。
【考案の効果】
【００１４】近年、増加している少年・少女の拉致・誘拐・監禁などの犯罪から子供や女性を守る防犯グッズとして使用します。また、子供やペットの迷子対策にも利用できます。さらに痴呆や徘徊癖のある老人の事故防止グッズとしても活用できます。
【００１５】マリンスポーツ全般を楽しむ時に万が一の海難事故に備えて。またスキーや登山などのウィンタースポーツを楽しむ時やスカイダイビングやパラグライダーなどを行う時においても万が一の遭難・行方不明防止のための必携救急アイテムとして活用します。
【００１６】家族や友人らとの国内及び海外旅行時の、万が一の事故や事件に巻き込まれた時の救急アイテムとして利用したり、バーベキューや川遊びなどのアウトドアスポーツやレジャーにも万が一の水難事故に備えての必携アイテムになります。
【００１７】日本国内において散弾銃所持許可資格取得者は５万人以上です。ところで近年、少年や外国人による凶悪犯罪が増加傾向にある中、散弾や散弾銃の盗難・強奪などの事件の発生が危惧されます。そこで事件防止や事件の早期解決を目的として当該装置を安全対策として銃本体に取り付けておきます。
【００１８】日本の警察官が所持している拳銃のグリップ部分内部に当該装置の機関部を直接仕込み、万が一の強奪や盗難事件発生時の対応策としても有効です。
【００１９】盗難の急増している自転車をはじめ、オートバイや自動車にも取り付け可能です。
【００２０】腕時計用小型リチウム電池による無充電・無交換での最大有効連続使用期間は１年６ヶ月以上と非常に長期的な利用ができます。
【００２１】図１は原寸大の当該装置の斜視図です。Ａの部分はフレキシブルな半透明のプラスチックで、Ｂに示すＧＰＳ回路を保護し、覆っています。Ｃ部には両面テープが付いていて、シールを剥すことにより、色々な物に取り付けることが出来ます。大きさは２センチ×３センチ薄さは５ミリほどです。形は基本的には長方形ですが、ハサミで形を自由に変えることができます。
【００２２】図２は原寸大の円柱型タイプの当該装置の斜視図です。Ｄの部分はステンレスで出来ており、この本体内部にＧＰＳ回路及び電子メールアドレス記憶回路、電池、アンテナなどが内臓されています。
【００２３】  図３は超小型電源遠隔入切機能付ＧＰＳ位置検索測定器に係るシステム関連図を示しております。
【００２４】図４は図１及び図２に係る詳細な設計回路図を示しております。
【図面の簡単な説明】
【図１】図１は当該装置の斜視図です。２センチ×３センチの薄い基盤にＧＰＳアンテナ、ＩＣ，ＬＳＩなどの集積回路、電池が内蔵してあります。
【図２】図２は当該装置の円柱型タイプの斜視図です。直径１センチ、高さ３センチのステンレス製のボディの内部にＧＰＳ回路、電池、アンテナなどが内臓してあります。
【図３】図３は超小型電源遠隔入切機能付ＧＰＳ位置検索測定器に係るシステム関連図を示しております。
【図４】図４は図１及び図２に係る詳細な設計回路図を示しております。
【符号の説明】
Ａ：当該装置本体（半透明プラスチック）
Ｂ：ＧＰＳ回路
Ｃ：本体底部（両面テープ貼布）
Ｄ：円柱型ボディ
１：ＧＰＳアンテナ
２：電池
３：アンテナ接合部
４：アンテナ送受信部
５：ＧＰＳ用フィルター
６：変極調整部（インピーダンス）
７：アンテナ送受信部
８：可変調送受信アンプ部
９：電波増幅部
１０：８００ＭＨＺ及び１．９ＧＨＺ用高周波増幅・変復調部
１１：８００ＭＨＺ用コントロールプロセッサ
１２：８００ＭＨＺ用メモリーチップ
１３：ＧＰＳ用データメモリー回路
１４：ＧＰＳ用高周波増幅・変復調部
１５：ＧＰＳ用メモリーチップ
１６：１．９ＧＨＺ用コントロールプロセッサ
１７：メインコントロールプロセッサ
１８：メインメモリー回路
１９：緊急発信用ブザー
２０：１．９ＧＨＺ用メモリーチップ
２１：ＧＰＳ用コントロールプロセッサ
２２：ＧＰＳ用演算集積回路
２３：インターネット接続通信回路
【手続補正３】
【補正対象書類名】図面
【補正対象項目名】図３
【補正方法】追加
【補正の内容】
【図３】
0003124315.tif 000011
【手続補正４】
【補正対象書類名】図面
【補正対象項目名】図４
【補正方法】追加
【補正の内容】
【図４】
0003124315.tif 000012
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする長方形ペンダントヘッド型の形状を有する超小型電源遠隔入切機能付ＧＰＳ位置検索測定器
【請求項２】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の長方形ペンダントヘッド型の形状を有する超小型電源遠隔入切機能付ＧＰＳ位置検索測定器の電源を小型ボタンリチウム電池にすることにより、本体のボディ構成をより小型・軽量・薄型にすることが可能になり、さらに１年以上の長期間における同一電源・無充電・無交換による現在位置検索が可能になったことを特徴とする超小型電源遠隔入切機能付ＧＰＳ位置検索測定器
【請求項３】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の長方形ペンダントヘッド型の形状を有する超小型電源遠隔入切機能付ＧＰＳ位置検索測定器の電源は電力の消耗を極力少なくするため、現在位置検索を行う時点でホームページ上の画面に超小型電源遠隔入切機能付ＧＰＳ位置検索測定器固有の登録番号及び契約者の暗証番号及び電子メールアドレスを入力・送信することによって初めて待機電源状態から現在位置検索を行う事が出来るメイン出力電源に自動的に切り替わるようにプログラムしてあることを特徴とする超小型電源遠隔入切機能付ＧＰＳ位置検索測定器
【請求項４】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の長方形ペンダントヘッド型の形状を有する超小型電源遠隔入切機能付ＧＰＳ位置検索測定器は本体上部角部にアンテナを有し、薄い小型のフレキシブル基盤上にはＧＰＳ回路、電子メール送受信回路、及びインターネット接続通信回路、さらに小型ボタンリチウム電池を組み込み、また、基盤底部には両面テープが貼り付けてあり、さらに一見して第三者からそれがＧＰＳ現在位置測定装置であることが分からないように色や形状を変えてあり、ハサミ等で自由にフレキシブル基盤の端を切って形を変えることもできることを特徴とする超小型電源遠隔入切機能付ＧＰＳ位置検索測定器
【請求項５】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の長方形ペンダントヘッド型の形状を有する超小型電源遠隔入切機能付ＧＰＳ位置検索測定器は待機電源の状態から石田哲也作成・所有のホームページへ携帯電話又はパソコンを使って暗証番号及び固有登録番号及び電子メールアドレスをインターネットを通して送信することによって遠隔地より自動的に電源をＯＮ状態にしたり、ＯＦＦ状態にしたりすることができることを特徴とする超小型電源遠隔入切機能付ＧＰＳ位置検索測定器
【請求項６】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項１記載の長方形ペンダントヘッド型の形状を有する超小型電源遠隔入切機能付ＧＰＳ位置検索測定器は所持者本人が電源の入切を直接操作できることを特徴とする超小型電源遠隔入切機能付ＧＰＳ位置検索測定器
【請求項７】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする円柱形ボトルケース型の形状を有する超小型電源遠隔入切機能付ＧＰＳ位置検索測定器
【請求項８】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項７記載の円柱形ボトルケース型の形状を有する超小型電源遠隔入切機能付ＧＰＳ位置検索測定器の電源を小型ボタンリチウム電池にすることにより、本体のボディ構成をより小型・軽量・薄型にすることが可能になり、さらに１年以上の長期間における同一電源・無充電・無交換による現在位置検索が可能になったことを特徴とする超小型電源遠隔入切機能付ＧＰＳ位置検索測定器
【請求項９】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項７記載の円柱形ボトルケース型の形状を有する超小型電源遠隔入切機能付ＧＰＳ位置検索測定器の電源は電力の消耗を極力少なくするため、現在位置検索を行う時点で超小型電源遠隔入切機能付ＧＰＳ位置検索測定器固有の登録番号及び契約者の暗証番号及び電子メールアドレスを入力・送信することによって初めて待機電源状態から現在位置検索を行う事が出来るメイン出力電源に自動的に切り替わるようにプログラムしてあることを特徴とする超小型電源遠隔入切機能付ＧＰＳ位置検索測定器
【請求項１０】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項７記載の円柱形ボトルケース型の形状を有する超小型電源遠隔入切機能付ＧＰＳ位置検索測定器は待機電源の状態から石田哲也作成・所有のホームページへ携帯電話又はパソコンを使って暗証番号及び固有登録番号及び電子メールアドレスをインターネットを通して送信することによって遠隔地より自動的に電源をＯＮ状態にしたり、ＯＦＦ状態にしたりすることができることを特徴とする超小型電源遠隔入切機能付ＧＰＳ位置検索測定器
【請求項１１】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項７記載の円柱形ボトルケース型の形状を有する超小型電源遠隔入切機能付ＧＰＳ位置検索測定器は円柱型本体の上部面中央にアンテナを有し、また、２０気圧防水加工が施されてあり、ボディの材質は錆に強いステンレス製で、水の中でも現在位置検索を行うことができることを特徴とする超小型電源遠隔入切機能付ＧＰＳ位置検索測定器
【請求項１２】
ＧＰＳ回路と電子メール送受信回路及びインターネット接続通信回路を装備し、２４時間３６５日、石田哲也作成・所有のホームページ内において超小型電源遠隔入切機能付ＧＰＳ位置検索測定器固有の登録番号及び暗証番号及び電子メールアドレスを入力・送信することによって回路内に組み込まれている電子メール受信回路が作動し、同時に自動的にＧＰＳ回路及びインターネット接続通信回路が働き、ＧＰＳ回路によって現在位置測定検索を開始し、インターネット接続によって位置検索を全地球規模で行うことができることを特徴とする請求項７記載の円柱形ボトルケース型の形状を有する超小型電源遠隔入切機能付ＧＰＳ位置検索測定器は所持者本人が電源の入切を直接操作できることを特徴とする超小型電源遠隔入切機能付ＧＰＳ位置検索測定器